(57)【要約】インクジェット式印刷システムを使用して写真画像と共に印刷された一連の赤外線インクドットとしてフォールトトレラント形式で符号化された記録済みオーディオを再生するためのシステムが開示されており、システムは、記録済みオーディオの赤外線（ＩＲ）形式を走査するための赤外線スキャナ；ＩＲスキャナへ相互接続され、走査されたオーディオ符号化を復号化して対応するオーディオ信号を生成するためのプロセッサ；およびプロセッサへ相互接続され、要求に応じて対応するオーディオ信号を発するつまり再生するためのオーディオエミッタを備える。符号化は、記録済みオーディオのリードソロモン符号化を含むことができ、また赤外線インクドットの配列を備えることができる、ドットの配列は走査を支援するよう高周波変調される。システムは、写真が挿入されるスロットを有する杖状アームを含むことができる。【選択図】図５
2004511877.tif 000002
【特許請求の範囲】
【請求項１】
写真と実質的に同じ領域に印刷される不可視インクドットの配列としてフォールトトレラント形式で符号化される記録済みオーディオを再生するシステムであって：
前記記録済みオーディオの前記印刷された赤外線インクドットを走査する赤外線スキャナ手段と；
前記赤外線スキャナ手段へ相互接続され、前記走査されたオーディオ符号化を復号化して、対応するオーディオ信号を生成するプロセッサ手段と；
前記プロセッサ手段へ相互接続され、要求に応じて前記対応するオーディオ信号を発する或いは再生するオーディオエミッタ手段と、
を備える、記録済みオーディオ再生システム。
【請求項２】
前記不可視インクは、可視スペクトルではほとんど吸収しない赤外線（ＩＲ）吸収インクである、
請求項１に記載の記録済みオーディオ再生システム。
【請求項３】
前記オーディオ符号化は、前記記録済みオーディオのリードソロモン符号化を含む、
請求項１に記載のシステム。
【請求項４】
前記システムは、前記カードが挿入されるスロットを有する杖状アームを含む、
請求項１に記載のシステム。
【請求項５】
前記符号化は、前記ＩＲドットの配列の、高周波チェッカーボード状変調を含む、
請求項１に記載のシステム。
【請求項６】
写真の表面に印刷された画像と共に前記写真の前記表面にフォールトトレラントの符号化形式で不可視インクドットの配列として印刷された記録済みオーディオ信号を復号化する方法であって：
（ａ）前記写真上の前記記録済みオーディオの印刷された符号化形式を赤外線で走査するステップと；
（ｂ）前記符号化オーディオ信号を復号化するステップと；
（ｃ）前記オーディオ信号をオーディオ出力装置で再生するステップと、
を備える、記録済みオーディオ信号復号化方法。
【請求項７】
前記不可視インクは、可視スペクトルではほとんど吸収しない赤外線（ＩＲ）吸収インクである、
請求項６に記載の記録済みオーディオ信号復号化方法。
【請求項８】
前記オーディオ信号は、前記写真の前記表面上に前記赤外線インクドットの配列として印刷する前にリードソロモン符号化される、
請求項６に記載の方法。
【請求項９】
前記符号化形式は、高周波チェッカーボード状信号成分により前記赤外線ドットの配列を変調するステップを含む、
請求項７に記載の方法。
【発明の詳細な説明】
【０００１】
【発明の分野】
本発明は、写真に関係して、写真の上に赤外線インクで記録される音の恒久的な記録を記録および出力するための一体型の音記録手段を有するカメラシステムに関する。従って、本発明は音を復号化し音を再生する写真リーダに関する。
【０００２】
本発明はまた、記録された音を再生するための手段にも関し、音を復号化し音を再生する写真リーダを開示する。
【０００３】
【同時係属出願】
本発明に関連する種々の方法、システムおよび装置は、本発明の出願人つまり譲受人によって本出願と同時に出願された下記の同時係属出願に開示されている：
【表１】
2004511877.tif 000003
【０００４】
これら同時係属出願の開示を引用して本明細書中に組込む。
【０００５】
本発明に関係する種々の方法、システムおよび装置は、本発明の出願人つまり譲受人によって１９９８年７月１０日に出願された下記の同時係属出願に開示されている：
ＵＳＳＮ０９／１１３，０６０、ＵＳＳＮ０９／１１３，０７０、
ＵＳＳＮ０９／１１２，７４１、ＵＳＳＮ０９／１１２，７８５、
およびＵＳＳＮ０９／１１３，１０７
この同時係属出願の開示を引用して本明細書中に組込む。
【０００６】
本発明に関連する種々の方法、システムおよび装置は、本発明の出願人つまり譲受人によって２０００年６月３０日に出願された下記の同時係属出願に開示されている：
ＰＣＴ／ＡＵ００／００７４３、ＰＣＴ／ＡＵ００／００７４４、
ＰＣＴ／ＡＵ００／００７４５、ＰＣＴ／ＡＵ００／００７４６、
ＰＣＴ／ＡＵ００／００７４７、およびＰＣＴ／ＡＵ００／００７４８
これら同時係属出願の開示を引用して本明細書中に組込む。
【０００７】
【発明の背景】
写真技術による画像の生成は、かなり長期間にわたり良く知られている。更に近年では、デジタルカメラがますます普及して、画像はデジタルカメラ装置で捕捉され、後の印刷のために保存される。
【０００８】
出願人の出願ＵＳＳＮ０９／１１３，０６０、０９／１１３，０７０およびＵＳＳＮ０９／１１３，２２２では、検知画像を印刷するための一体型のプリンタ装置を含むカメラシステムが提案された。
【０００９】
かかる装置および他の画像捕捉装置を使用する場合に、映像を撮るときのオーディオおよび他の環境情報を適切に処置できることが望ましい。
【００１０】
出願人の出願ＵＳＳＮ０９／１１３，１０７には、かかる装置の一つが開示されており、オーディオデータが、カードまたは写真の裏に黒色インクを使用して白色背景上に記録されていた。リーダはカードまたは写真がスキャナ手段を通過される場合、データを読み取り、オーディオ発生器手段を介して信号を再生できる。
【００１１】
米国特許第５，８９６，４０３号（Ｎａｇａｓａｋｉ他）には、印刷システムが開示されており、それは画像とオーディオ情報を、ペン装置によって読み取ることができるドット符号で、印刷媒体、例えば、シートに印刷する。情報は、ドット符号の編制の故に、不規則またはランダムなデータの走査にもかかわらず復号化できる。Ｎａｇａｓａｋｉ他のシステムでは、データの走査は低い。ＵＳＳＮ０９／１１３，１０７に開示された出願人の印刷および走査システムでは、処理は、Ｎａｇａｓａｋｉ他での行毎の処理でなく、ページ幅の処理である。
【００１２】
【発明の概要】
本発明は、「写真」を見るときにオーディオ情報を再生できることに加えて、検知画像を取得するときにオーディオを記録できるカメラシステムに関し、オーディオと「写真」は印刷媒体の同じ表面に記録される。
【００１３】
本発明の第１態様によると、写真と実質的に同じ領域に印刷された不可視インクドットの配列としてフォールトトレラント形式で符号化された記録済みオーディオを再生するためのシステムが提供され、それは：印刷された不可視インクドットの前記記録済みオーディオを走査するための赤外線スキャナ手段；前記赤外線スキャナ手段へ相互接続され、前記走査されたオーディオ符号化を復号化して対応するオーディオ信号を生成するためのプロセッサ手段；および前記プロセッサ手段へ相互接続され、要求に応じて前記対応するオーディオ信号を発するつまり再生するためのオーディオエミッタ手段を備える。
【００１４】
不可視インクは、可視スペクトルでは無視できる程度の吸収を伴う赤外線（ＩＲ）吸収インクであってもよい。
【００１５】
符号化は、記録済みオーディオのリードソロモン符号化を含むことができ、ページ幅のインクジェット式印字ヘッドを使用して写真に印刷されるＩＲ（赤外線）インクドットの配列を備える。ドットの配列は、走査を支援するよう、例えばチェッカーボード状模様を使用して高周波変調されてもよい。
【００１６】
システムは、写真が挿入されるスロットを有する杖状アームを含むことができる。
【００１７】
本発明の更なる態様によると、写真の表面に印刷された画像と共に前記写真の前記表面にフォールトトレラント符号化形式で不可視インクドットの配列として印刷された記録済みオーディオ信号を復号化する方法が提供され、前記方法は：
（ａ）前記写真上の前記記録済みオーディオの印刷された符号化形式を赤外線で走査するステップと；
（ｂ）前記符号化オーディオ信号を復号化するステップと；
（ｃ）前記オーディオ信号をオーディオ出力装置で再生するステップと、
を含む。
【００１８】
本発明の範囲内に該当するであろういずれか他の形態にかかわらず、本発明の好適な形態を例示だけのために添付図面を参照して説明する。
【００１９】
【好適な他の実施形態の説明】
好適な実施の形態は、ＵＳＳＮ０９／１１３，０６０およびＵＳＳＮ０９／１１３，０７０に説明したような手持ちカメラ装置の適切なプログラミングを介して実施されるのが好ましい。
【００２０】
前述特許明細書は、以降「Ａｒｔｃａｍ」型カメラとして知られるカメラシステムを開示し、検知画像はＡｒｔｃａｍ携帯型カメラユニットによって直接印刷できる。更に、前述明細書は、カメラ検知装置によって捕捉された画像に種々の操作を行い、いかなる出力画像においても種々の効果の生成を導くための方法および手段を開示している。操作は、事実上高度に柔軟であるよう開示されており、Ａｒｔｃａｒｄとして知られる画像の操作に対する種々の指令を符号化されて有するカードをＡｒｔｃａｍに挿入することにより実施できる。Ａｒｔｃａｍは、更に、アートカム中央プロセッサユニット（ＡＣＰ）によって実施される高い内蔵処理能力を有し、ＡＣＰは取込みデータおよび画像の格納のためにメモリ装置へ相互接続されている。
【００２１】
好適な実施の形態では、Ａｒｔｃａｍ装置は、マイクロフォン装置および関係する記録技術を装備するよう適切に修正される。映像が撮られるとき、周囲の音環境または画像に関係するメッセージのいずれかを記録する機会が設けられる。記録されたオーディオは、次に写真上に符号化フォーマットで印刷される、符号化は非常に復元性の高い形式であるのが好ましい。記録されたオーディオは、写真に関係する恒久的なオーディオ記録を提供する。その後に、再生装置が、符号化オーディオを走査し、この情報を復号化するために提供される。
【００２２】
図１を参照すると、前述特許明細書に説明された編成を含む好適な実施の形態１が概略形式で示され、ここでは、画像２がＣＣＤセンサ３を介して検知され、アートカム中央プロセッサ４へ転送される、プロセッサ４は前述特許明細書で説明されたようにかなりの演算資源を含む。アートカム中央プロセッサ４は、メモリ５に画像を格納でき、メモリ５は好ましくは高速 ＲＡＭＢＵＳ（登録商標）インタフェイスのメモリを備える。アートカム中央プロセッサ４は、プリンタ装置６の動作を制御する責も負い、プリンタ装置６は要求に応じて即時の画像を提供するようフルカラー写真、例えば７の印刷のためのページ幅のインクジェット式印字ヘッド１５（図２参照）を有する。印字ヘッド１５は、カラー画像を印刷でき、１６００ｄｐｉの解像度で印刷するための少なくとも４個のインクジェットノズルを有する。４種のインクは、データを印刷するための赤外線インクと、カラー画像を印刷するためのシアン、マゼンタおよびイエローインクとを含む。そのような印字ヘッドで、しかし６種のインクを印刷する能力を有するものが、出願人の出願ＰＣＴ／ＡＵ００／００７４３、ＰＣＴ／ＡＵ００／００７４４、ＰＣＴ／ＡＵ００／００７４５、ＰＣＴ／ＡＵ００／００７４６、ＰＣＴ／ＡＵ００／００７４７およびＰＣＴ／ＡＵ００／００７４８に、モノリシック構造を使用して開示されている。
【００２３】
好適な実施の形態では、カメラ編成１は、サウンドチップ１０も配備されており、サウンドチップ１０はＡＣＰプロセッサ４の制御の下で、ＲＡＭＢＵＳバス１１を介してメモリ５へインタフェイスされる。サウンドチップ１０は、標準的または専用形式であることができ、例えばサウンドマイクロフォン１３からアナログ入力１２を取入れるＤＳＰプロセッサを備えることができる。あるいは、チップの複雑度が増大するのに従い（ムーアの法則）、サウンドチップ１０の機能はＡＣＰチップ内に組込まれることができ、ＡＣＰチップは最先端のＣＭＯＳ型集積回路チップを備えるのが好ましい。本発明の範囲内に該当する他の多くの種類の編成が提供できることは容易に明白であろう。サウンドチップ１０は、アナログ入力１２を対応するデジタル形式へ変換し、それをメモリ５に格納するために転送する。記録プロセスは、カメラ装置上のボタン（図示せず）を押すことによって作動でき、ボタンはＡＣＰプロセッサ４の制御下にあるか、そうでなければ、記録プロセスは写真を撮るときに実質的に自動化されることができる。記録されたデータは、メモリ５に格納される。
【００２４】
図２を参照すると、カメラ編成は、好ましくはプリンタ装置６を含み、プリンタ装置６は印字ヘッド１５を含む。印字ヘッド１５は、画像を印刷媒体１７に印刷し、同時にオーディオ（または他の）情報を印刷出力媒体１７の同じ面にＩＲインクを使用して印刷することに利用される。同様な編成で、しかし情報を出力写真画像の背面に印刷するものが、ＵＳＳＮ０９／１１２，７４１に説明されており、その内容は引用し、必要な変更を加えて本明細書中に組込む。単一の印字ヘッドを使用することによって、そこに開示されたものより簡単な装置が提供される。出願人は、この目的のために適切な赤外線インクを、両者共２０００年８月１４日出願のオーストラリア仮特許出願ＰＱ９４１２とＰＱ９３７６、２０００年８月１８日出願の出願人の出願ＰＱ９５０９、および両者共２０００年８月２１日出願のＰＱ９５７１とＰＱ９５６１に開示した。
【００２５】
図３を参照すると、写真媒体１７に印刷される出力の例が示されている。媒体１７は、写真画像１８を含み、それと共に情報２０およびデータ２２が印刷されている。画像１８の詳細は、図解を簡略化するため、示さない。情報２０は、場所、日付および時間のデータを含むことができ、場所データはキーボード入力によって、またはＧＰＳ等の付属の測位システムの利用により提供される。情報２０は視認可能な形式で呈示される。データ２２は、符号化された不可視（しかし赤外線で可視）の形式で、その始まりと終りはターゲット境界２３で印されて提供される。符号化の形式は多種多様であることができるが、符号化は、擦り傷、汚れ、書き込み、磨耗、回転、退色などを許容するよう、高度にフォールトトレラントな形式で提供されるのが好ましい。適切な技術の一つの形式は、「Ａｒｔｃａｒｄ」の構築に利用された印刷技術であり、それは前述特許明細書ＵＳＳＮ０９／１１３，０６０に説明され、または、ＵＳＳＮ０９／１１２，０７０およびＵＳＳＮ０９／１１２，７８５、または本出願と並行して出願された、同時係属出願の整理番号ＰＣＴ／ＡＵ０１／　　　　　（整理番号ＡＲＴ８０）、ＰＣＴ／ＡＵ０１／　　　　　（整理番号ＡＲＴ８１）、およびＰＣＴ／ＡＵ０１／　　　　　（整理番号ＡＲＴ８２）に開示されている。符号化フォーマットは、データのリードソロモン符号化の利用に強く依存し、高度のフォールトトレラント性を提供する。データ２５の一部分は概略形式で図４に示され、またデータは、図２の印字ヘッド１５で印刷され、加えて、符号化データの検知を補助するようデータへ追加された高周波「チェッカーボード状」模様２１により変調されるＩＲドットの配列を備える。データ２２はこの特定の場合に、音データだけでなく画像情報２０も備えることができる。出願人の同時係属出願の整理番号ＰＣＴ／ＡＵ０１／　　　　　（整理番号ＡＲＴ８０）、ＰＣＴ／ＡＵ０１／　　　　　（整理番号ＡＲＴ８１）、およびＰＣＴ／ＡＵ０１／　　　　　（整理番号ＡＲＴ８２）に検討された開示の方法は、データのために４”ｘ６”（１０２ｍｍｘ１５２ｍｍ）のサイズを有し、１６００ｄｐｉの解像度で印刷される写真上に略６メガバイトの任意のデータの格納を提供する。
【００２６】
記録されたオーディオを「再生する」ことを望む場合、写真１７はリーダ装置２６を介して送られる、リーダ２６は、写真１７を赤外線に感応するリニアＣＣＤセンサ装置２７を通過してはさみ送るためのピンチローラを含み、写真１７は相補特性の赤外線源によって照射される。センサ装置２７は、前述特許明細書または出願人の出願ＰＣＴ／ＡＵ０１／　　　　　（整理番号ＡＲＴ８５）明細書に説明されたように適切に適合化されたセンサ装置であり得る。適切なセンサは、平床式スキャナまたはファクシミリ機に見られる。ＣＣＤ装置のセンサはレンズおよび／またはフィルタ編成を設けられて、その感度と適用範囲を写真の大きさおよびＩＲインクのスペクトル特性に最適化する。波長範囲４００−７００ｍｍ内の最小応答と、波長範囲７００ｍｍ−１２００ｍｍ内の最大応答を持つインクが、２０００年８月１４日出願のオーストラリア仮特許出願ＰＱ９４１２とＰＱ９３７６、２０００年８月１８日出願の出願人の出願ＰＱ９５０９、および２０００年８月２１日出願のＰＱ９５７１とＰＱ９５６１に開示されたように、適切であることが分かった。
【００２７】
図６を参照すると、図５のオーディオリーダ装置２６の動作が概略形式で示されている。リニアＣＣＤのＩＲセンサ２７は２番目のアートカム中央プロセッサ２８へ相互接続され、プロセッサ２８は写真上に赤外線で格納されたデータを読出し復号化するよう適切に適合化されている。復号化されたオーディオ情報は、サウンド処理チップ３３を介してスピーカ２９で再生するためにメモリ３２に格納される。サウンド処理チップ３３はＡＣＰデコーダ２８の制御の下で動作でき、そしてデコーダ２８は、音量制御、巻戻し、再生および早送り制御などを含むことのできる、種々のユーザ入力制御３３の制御の下で動作する。重要なことには、前述特許明細書ＵＳＳＮ０９／１１３，０７０とＵＳＳＮ０９／１１２，７８５、出願人の同時係属出願の整理番号ＰＣＴ／ＡＵ０１／　　　　　（整理番号ＡＲＴ８０）、ＰＣＴ／ＡＵ０１／　　　　　（整理番号ＡＲＴ８１）およびＰＣＴ／ＡＵ０１／　　　　　（整理番号ＡＲＴ８２）に説明されたような、Ａｒｔｃａｒｄまたは代替Ａｒｔｃａｒｄフォーマットに情報が印刷されているかのように、ＣＣＤリニアＩＲセンサ２７およびＡＣＰデコーダ２８は、読出しプロセスを実施できる。
【００２８】
好適な実施の形態の上記の説明から分かるように、写真と関係するオーディオ記録を提供するよう、出力画像と関係するオーディオの自動記録のためのシステムが提供される。また、ＩＲインクで写真上に記録されたオーディオ出力を読出すためのオーディオリーダシステムも開示される。
【００２９】
数多くの変更および／または修正が、大まかに説明された発明の精神または範囲から逸脱することなく、特定の実施の形態に示されるような本発明へなされてもよいことは、当該技術に精通する者によって理解されよう。例えば、ステレオおよびＢフォーマット技術等のさらに複雑なオーディオ記録および再生技術の利用がある。従って、本実施の形態は、あらゆる点で説明的であり限定的ではないことを考慮されたい。
【図面の簡単な説明】
【図１】
好適な実施の形態に従って構築されたカメラシステムを概略的に示す。
【図２】
出力媒体上に印刷するためのプリンタ機構を概略的に示す。
【図３】
写真上の出力データのフォーマットを示す。
【図４】
出力媒体の拡大した一部分を示す。
【図５】
写真からデータを読出すことに利用されるリーダ装置を示す。
【図６】
好適な実施の形態の装置の利用を示す。
【符号の説明】
１　　カメラ編成／好適な実施の形態
２　　画像入力
３　　ＣＣＤセンサ
４　　アートカム中央プロセッサ
５　　メモリ
６　　プリンタ装置
７　　写真
１０　サウンドチップ
１１　ＲＡＭＢＵＳバス
１２　アナログ入力
１３　サウンドマイクロフォン
１５　印字ヘッド
１７　印刷媒体
１８　写真画像
２０　情報
２１　チェッカーボード状模様
２２　データ
２３　ターゲット境界
２５　データ
２６　リーダ装置
２７　リニアＣＣＤセンサ装置
２８　ＡＣＰデコーダ
２９　スピーカ
３２　メモリ
３３　制御
３３（図６：３５）　サウンド処理チップ
【図１】
2004511877.tif 000004
【図３】
2004511877.tif 000005
【図６】
2004511877.tif 000006
【国際公開パンフレット】
2004511877.tif 000007
2004511877.tif 000008
2004511877.tif 000009
2004511877.tif 000010
2004511877.tif 000011
2004511877.tif 000012
2004511877.tif 000013
2004511877.tif 000014
2004511877.tif 000015
2004511877.tif 000016
2004511877.tif 000017
2004511877.tif 000018
2004511877.tif 000019
2004511877.tif 000020
2004511877.tif 000021
2004511877.tif 000022
【手続補正書】
【提出日】平成14年8月13日(2002.8.13)
【手続補正１】
【補正対象書類名】明細書
【補正対象項目名】０００３
【補正方法】変更
【補正の内容】
【０００３】
【同時係属出願】
本発明に関連する種々の方法、システムおよび装置は、本発明の出願人つまり譲受人によって本出願と同時に出願された下記の同時係属出願に開示されている：
【表１】
2004511877.tif 000023
【手続補正２】
【補正対象書類名】明細書
【補正対象項目名】００２５
【補正方法】変更
【補正の内容】
【００２５】
図３を参照すると、写真媒体１７に印刷される出力の例が示されている。媒体１７は、写真画像１８を含み、それと共に情報２０およびデータ２２が印刷されている。画像１８の詳細は、図解を簡略化するため、示さない。情報２０は、場所、日付および時間のデータを含むことができ、場所データはキーボード入力によって、またはＧＰＳ等の付属の測位システムの利用により提供される。情報２０は視認可能な形式で呈示される。データ２２は、符号化された不可視（しかし赤外線で可視）の形式で、その始まりと終りはターゲット境界２３で印されて提供される。符号化の形式は多種多様であることができるが、符号化は、擦り傷、汚れ、書き込み、磨耗、回転、退色などを許容するよう、高度にフォールトトレラントな形式で提供されるのが好ましい。適切な技術の一つの形式は、「Ａｒｔｃａｒｄ」の構築に利用された印刷技術であり、それは前述特許明細書ＵＳＳＮ０９／１１３，０６０に説明され、または、ＵＳＳＮ０９／１１２，０７０およびＵＳＳＮ０９／１１２，７８５、または本出願と並行して出願された、同時係属出願の整理番号ＰＣＴ／ＡＵ０１／０１３１７（整理番号ＡＲＴ８０）、ＰＣＴ／ＡＵ０１／０１３２８（整理番号ＡＲＴ８１）、およびＰＣＴ／ＡＵ０１／０１３２６（整理番号ＡＲＴ８２）に開示されている。符号化フォーマットは、データのリードソロモン符号化の利用に強く依存し、高度のフォールトトレラント性を提供する。データ２５の一部分は概略形式で図４に示され、またデータは、図２の印字ヘッド１５で印刷され、加えて、符号化データの検知を補助するようデータへ追加された高周波「チェッカーボード状」模様２１により変調されるＩＲドットの配列を備える。データ２２はこの特定の場合に、音データだけでなく画像情報２０も備えることができる。出願人の同時係属出願の整理番号ＰＣＴ／ＡＵ０１／０１３１７（整理番号ＡＲＴ８０）、ＰＣＴ／ＡＵ０１／０１３２８（整理番号ＡＲＴ８１）、およびＰＣＴ／ＡＵ０１／０１３２６（整理番号ＡＲＴ８２）に検討された開示の方法は、データのために４”ｘ６”（１０２ｍｍｘ１５２ｍｍ）のサイズを有し、１６００ｄｐｉの解像度で印刷される写真上に略６メガバイトの任意のデータの格納を提供する。


【手続補正３】
【補正対象書類名】明細書
【補正対象項目名】００２６
【補正方法】変更
【補正の内容】
【００２６】
記録されたオーディオを「再生する」ことを望む場合、写真１７はリーダ装置２６を介して送られる、リーダ２６は、写真１７を赤外線に感応するリニアＣＣＤセンサ装置２７を通過してはさみ送るためのピンチローラを含み、写真１７は相補特性の赤外線源によって照射される。センサ装置２７は、前述特許明細書または出願人の出願ＰＣＴ／ＡＵ０１／０１３２４（整理番号ＡＲＴ８５）明細書に説明されたように適切に適合化されたセンサ装置であり得る。適切なセンサは、平床式スキャナまたはファクシミリ機に見られる。ＣＣＤ装置のセンサはレンズおよび／またはフィルタ編成を設けられて、その感度と適用範囲を写真の大きさおよびＩＲインクのスペクトル特性に最適化する。波長範囲４００−７００ｍｍ内の最小応答と、波長範囲７００ｍｍ−１２００ｍｍ内の最大応答を持つインクが、２０００年８月１４日出願のオーストラリア仮特許出願ＰＱ９４１２とＰＱ９３７６、２０００年８月１８日出願の出願人の出願ＰＱ９５０９、および２０００年８月２１日出願のＰＱ９５７１とＰＱ９５６１に開示されたように、適切であることが分かった。


【手続補正４】
【補正対象書類名】明細書
【補正対象項目名】００２７
【補正方法】変更
【補正の内容】
【００２７】
図６を参照すると、図５のオーディオリーダ装置２６の動作が概略形式で示されている。リニアＣＣＤのＩＲセンサ２７は２番目のアートカム中央プロセッサ２８へ相互接続され、プロセッサ２８は写真上に赤外線で格納されたデータを読出し復号化するよう適切に適合化されている。復号化されたオーディオ情報は、サウンド処理チップ３３を介してスピーカ２９で再生するためにメモリ３２に格納される。サウンド処理チップ３３はＡＣＰデコーダ２８の制御の下で動作でき、そしてデコーダ２８は、音量制御、巻戻し、再生および早送り制御などを含むことのできる、種々のユーザ入力制御３３の制御の下で動作する。重要なことには、前述特許明細書ＵＳＳＮ０９／１１３，０７０とＵＳＳＮ０９／１１２，７８５、出願人の同時係属出願の整理番号ＰＣＴ／ＡＵ０１／０１３１７（整理番号ＡＲＴ８０）、ＰＣＴ／ＡＵ０１／０１３２８（整理番号ＡＲＴ８１）およびＰＣＴ／ＡＵ０１／０１３２６（整理番号ＡＲＴ８２）に説明されたような、Ａｒｔｃａｒｄまたは代替Ａｒｔｃａｒｄフォーマットに情報が印刷されているかのように、ＣＣＤリニアＩＲセンサ２７およびＡＣＰデコーダ２８は、読出しプロセスを実施できる。




【国際調査報告】
2004511877.tif 000024
2004511877.tif 000025